(57)【要約】ボルトを介して冷却プレートを電池積層体に固定しながら、長期間にわたってボルトの緩みを防止して、冷却プレートと電池積層体とを理想的な熱結合状態に維持するために、電源装置は、複数の電池セルを積層してなる電池積層体の積層方向の両端部に配置してなる一対のエンドプレートにバインドバー（４）の両端部を連結して、複数の電池セルを積層方向に固定すると共に、バインドバー（４）と異種金属の冷却プレート（９）を電池積層体の表面に熱結合状態に配置して、電池積層体の長手方向に配置してなる複数のボルト（５）を介して冷却プレート（９）を電池積層体に固定している。電源装置は、複数のボルト（５）がバインドバー（４）を冷却プレート（９）に固定してなる固定領域（２１）の長さ（Ｌ）を、バインドバー（４）の全長（Ｔ）の７０％以下として、バインドバー（４）の端部に、ボルト（５）を介して冷却プレート（９）に固定されない非固定領域（２２）を設けている。
2019146238.tif 000002
【特許請求の範囲】
【請求項１】
複数の電池セルを積層してなる電池積層体と、
前記電池積層体の積層方向の両端部に配置してなる一対のエンドプレートと、
両端部を一対の前記エンドプレートに連結して、複数の前記電池セルを積層方向に固定してなるバインドバーと、前記電池積層体の表面に熱結合状態に配置してなる前記バインドバーと異種金属の冷却プレートとを備え、
前記電池積層体の長手方向に配置してなる複数のボルトを介して前記冷却プレートが前記電池積層体に固定されてなる電源装置であって、
複数の前記ボルトが前記バインドバーを前記冷却プレートに固定してなる固定領域の長さ（Ｌ）が、前記バインドバーの全長の７０％以下で、前記バインドバーの端部に、前記ボルトを介して前記冷却プレートに固定されない非固定領域を設けてなることを特徴とする電源装置。
【請求項２】
請求項１に記載される電源装置であって、
前記バインドバーが鉄又は鉄合金で、
前記冷却プレートがアルミニウム又はアルミニウム合金であることを特徴とする電源装置。
【請求項３】
請求項１又は２に記載される電源装置であって、
前記冷却プレートの全長が３０ｃｍ以上であることを特徴とする電源装置。
【請求項４】
請求項１ないし３のいずれかに記載される電源装置であって、
前記バインドバーが、前記冷却プレートの表面に固定される折り曲げ部を有し、前記折り曲げ部を貫通する前記ボルトを介して前記バインドバーが前記冷却プレートに固定されてなることを特徴とする電源装置。
【請求項５】
請求項４に記載される電源装置であって、
前記折り曲げ部が前記冷却プレートの外側表面に配置され、前記折り曲げ部が前記冷却プレートの外側表面に固定されてなることを特徴とする電源装置。
【請求項６】
請求項４に記載される電源装置であって、
前記折り曲げ部が前記冷却プレートと前記電池積層体との間に配置され、前記折り曲げ部が前記冷却プレートの電池積層体との対向面に固定されてなることを特徴とする電源装置。
【請求項７】
請求項１ないし６のいずれかに記載される電源装置であって、
前記固定領域に３個以上の前記ボルトが配置されてなることを特徴とする電源装置。
【請求項８】
請求項１ないし７のいずれかに記載される電源装置であって、
前記ボルトが前記冷却プレートに設けた雌ねじ孔にねじ込んで固定されてなることを特徴とする電源装置。
【請求項９】
請求項１ないし７のいずれかに記載される電源装置であって、
前記ボルトにナットがねじ込まれて、前記ボルトとナットとで前記冷却プレートを挟着して前記バインドバーが前記冷却プレートに固定されてなることを特徴とする電源装置。
【請求項１０】
請求項１ないし９のいずれかに記載される電源装置であって、
前記冷却プレートが、長手方向に沿って伸びるフランジ部を両側に有し、前記フランジ部の内側に前記電池積層体が嵌合されてなることを特徴とする電源装置。
【請求項１１】
請求項１ないし１０のいずれかに記載される電源装置であって、
前記電池積層体と前記冷却プレートとの間に熱伝導シートを配置してなることを特徴とする電源装置。
【請求項１２】
請求項１ないし１１のいずれかに記載の電源装置を備える電動車両であって、
前記電源装置と、該電源装置から電力供給される走行用のモータと、該電源装置及び前記モータを搭載してなる車両本体と、該モータで駆動されて前記車両本体を走行させる車輪とを備えることを特徴とする電源装置を備える電動車両。
【請求項１３】
請求項１ないし１１のいずれかに記載の電源装置を備える蓄電装置であって、
前記電源装置と、該電源装置への充放電を制御する電源コントローラとを備えており、前記電源コントローラでもって、外部からの電力により前記電池セルへの充電を可能とすると共に、該電池セルに対し充電を行うよう制御することを特徴とする蓄電装置。
【発明の詳細な説明】
【技術分野】
【０００１】
本発明は、複数の電池セルを積層して電池積層体とし、この電池積層体の両端に配置してなるエンドプレートを介して熱伝導プレートを電池積層体に熱結合状態に配置してなる電源装置及び電源装置を備える車両並びに蓄電装置に関する。
【背景技術】
【０００２】
典型的な電源装置は、複数の角形電池セルからなる電池積層体と、電池積層体の両端面に配置される一対のエンドプレートと、一対のエンドプレートを連結するバインドバーとを備えている。この電源装置は、電池積層体をエンドプレートとバインドバーにより拘束することで、複数の角形電池セルからなる電池積層体を集合化できるようになっている。さらに、電池積層体を構成する複数の電池セルを効率よく冷却するために、電池積層体の表面に冷却プレートを熱結合状態で配置して強制的に冷却する構造の電源装置が開発されている。（特許文献１参照）
【先行技術文献】
【特許文献】
【０００３】
【特許文献１】特開２０１５−２２０１１７号公報
【発明の概要】
【発明が解決しようとする課題】
【０００４】
冷却プレートで電池セルを冷却する電源装置は、例えば、複数のボルトを介して冷却プレートが電池積層体に固定される。ただ、この構造の電源装置は、冷却プレートを固定するボルトが経時的に緩むことがある。このボルトが緩むと、冷却プレートと電池積層体との熱結合状態が悪化して電池セルの冷却効率が低下する虞がある。また、ボルトの緩みは、振動による騒音の原因となり、また脱落するとさらに種々の故障の原因となるため決して好ましくなく、これを極減することが切望されている。【０００５】
本発明は、以上の欠点を解決することを目的に開発されたもので、本発明の重要な目的は、ボルトを介して冷却プレートを電池積層体に固定する構造としながら、長期間にわたってボルトの緩みを防止して、冷却プレートと電池積層体とを理想的な熱結合状態に維持できる技術を提供することにある。
【課題を解決するための手段】
【０００６】
本発明のある態様の電源装置は、複数の電池セルを積層してなる電池積層体と、前記電池積層体の積層方向の両端部に配置してなる一対のエンドプレートと、両端部を一対の前記エンドプレートに連結して、複数の前記電池セルを積層方向に拘束するバインドバーと、前記電池積層体の表面に熱結合状態に配置してなる前記バインドバーと異種金属の冷却プレートとを備え、前記電池積層体の長手方向に配置してなる複数のボルトを介して前記冷却プレートを前記電池積層体に固定している。電源装置は、複数の前記ボルトが前記バインドバーを前記冷却プレートに固定してなる固定領域の長さ（Ｌ）を、前記バインドバーの全長（Ｔ）の７０％以下として、前記バインドバーの端部に、前記ボルトを介して前記冷却プレートに固定されない非固定領域を設けている。【０００７】
さらに、以上の態様の構成要素を備えた電源装置を備える電動車両は、前記電源装置と、該電源装置から電力供給される走行用のモータと、該電源装置及び前記モータを搭載してなる車両本体と、該モータで駆動されて前記車両本体を走行させる車輪とを備えている。【０００８】
さらに、以上の態様の構成要素を備えた電源装置を備える蓄電装置は、前記電源装置と、該電源装置への充放電を制御する電源コントローラを備え、前記電源コントローラが外部からの電力による前記電池セルへの充電を可能とすると共に、該電池セルに対し充電を行うよう制御している。
【発明の効果】
【０００９】
本発明は、電源装置を簡単な構造としながら、複数のボルトを介して冷却プレートを電池積層体に理想的な状態で固定でき、さらに、長期間にわたってボルトの緩みを防止して、冷却プレートと電池積層体とを理想的な熱結合状態に維持できる特徴がある。それは、以上の電源装置が、電池積層体を積層方向に拘束する一対のエンドプレートに両端を連結しているバインドバーを、複数のボルトで冷却プレートに固定して、冷却プレートを電池積層体の表面に配置すると共に、複数のボルトがバインドバーを冷却プレートに固定してなる固定領域の長さ（Ｌ）を、バインドバーの全長（Ｔ）の７０％以下として、バインドバーの端部に、ボルトを介して冷却プレートに固定されない非固定領域を設けているからである。
【図面の簡単な説明】
【００１０】
【図１】本発明の一実施形態にかかる電源装置の斜視図である。
【図２】図１に示す電源装置の分解斜視図である。
【図３】図１に示す電源装置の概略横断面図である。
【図４】図１に示す電源装置の底面図である。
【図５】本発明の他の実施形態にかかる電源装置の概略横断面図である。
【図６】図５に示す電源装置の底面図である。
【図７】本発明の他の実施形態にかかる電源装置の概略横断面図である。
【図８】本発明の他の実施形態にかかる電源装置の概略横断面図である。
【図９】エンジンとモータで走行するハイブリッドカーに電源装置を搭載する例を示すブロック図である。
【図１０】モータのみで走行する電気自動車に電源装置を搭載する例を示すブロック図である。
【図１１】蓄電装置に電源装置を使用する例を示すブロック図である。
【図１２】冷却プレートとバインドバーとの連結部を示す模式底面図である。
【図１３】従来の電源装置の分解斜視図である。
【発明を実施するための形態】
【００１１】
まず、本発明の一つの着目点について説明する。ハイブリッドカーや電気自動車等の車両に搭載される大電力の電源装置は、充放電の電流が大きく、また種々の外的条件で使用されることから電池温度が大幅に変動する。とくに、電池の温度上昇は、充放電できる電流範囲を制限し、寿命を短くして安全性を阻害する原因となるので、冷却プレートで電池を強制的に冷却する構造の電源装置が開発されている。
【００１２】
従来の電源装置は、図１３に示すように、複数の電池セル１０１を積層している電池積層体１０２の底面に冷却プレート１０９を配置して、冷却プレート１０９で電池セル１０１を冷却している。図の電源装置は、バインドバー１０４の下縁に折り曲げ部１０４ｂを設けて、この折り曲げ部１０４ｂを冷却プレート１０９に固定して、冷却プレート１０９を電池積層体１０２の底面に配置している。バインドバー１０４は、電池積層体１０２の両端に配置するエンドプレート１０３に両端を固定して、電池積層体１０２を拘束している。この図に示すように、折り曲げ部１０４ｂを冷却プレート１０９に固定して、冷却プレート１０９を電池積層体１０２の底面に配置する電源装置は、冷却プレート１０９を電池積層体１０２の底面に密着して好ましい熱結合状態に固定できる。電池積層体１０２の積層方向に伸びるバインドバー１０４は、細長い折り曲げ部１０４ｂを複数のボルトで冷却プレート１０９に固定して、冷却プレート１０９を好ましい状態で電池セル１０１の底面に熱結合状態に配置できる。
【００１３】
ボルトは、折り曲げ部の長手方向に並べて配置されて、細長い折り曲げ部を冷却プレートに固定できる。この固定構造は、複数のボルトで冷却プレートを電池積層体の底面に、好ましい熱結合状態に配置できる。ただ、この構造の電源装置は、大幅に変動する温度環境で長期間使用されると、バインドバーと冷却プレートとが相対的に移動してボルトが緩む弊害が発生する。ボルトが緩むと、冷却プレートと電池積層体との熱結合状態が悪化して、冷却プレートによる各々の電池セルの冷却効率が低下し、さらにボルトの緩みは振動による騒音の原因となり、また脱落するとさらに種々の故障の原因となる。特に、冷却プレートとバインドバーが異種金属で製作される場合、それぞれの材料の熱膨張率の差に起因してボルト緩みの原因となるバインドバーと冷却プレートとの相対移動が生じる。例えば、バインドバーは極めて強い引張強度が要求されることから、バインドバーには高張力鋼やステンレス鋼板が使用される。一方、冷却プレートには優れた熱伝導特性が要求されることから、冷却プレートにはアルミニウムやアルミニウム合金が使用される。バインドバーと冷却プレートは異なる特性が要求され、各々の用途に最適な金属が選択されて異種金属で製作される。電動車両に搭載される電源装置は、極めて広い温度範囲で使用されるので、温度変化によってバインドバーと冷却プレートは互いに伸縮する。異種金属のバインドバーと冷却プレートは、温度に対する伸縮量が異なるので、温度変化による伸縮が起こる毎にバインドバーと冷却プレートとが相対的にずれて、ボルトを緩ませる原因となる。このため、ボルトで冷却プレートをバインドバーに固定する電源装置は、製造直後にあっては、冷却プレートと電池積層体とを理想的な熱結合状態にできても、長期間使用されるとボルトの緩みが原因で、冷却プレートと電池積層体との熱結合状態が低下するなど種々の弊害が発生する。
【００１４】
したがって、電池積層体に冷却プレートを熱結合させて冷却する構造の電源装置にあっては、冷却プレートを電池積層体に固定するボルトの緩みを長期間にわたって防止して、冷却プレートと電池積層体とを理想的な熱結合状態に維持できる構造を検討することが重要である。
【００１５】
本発明のある態様の電源装置は、以下の構成により特定されてもよい。電源装置は、複数の電池セル１を積層してなる電池積層体２と、電池積層体２の積層方向の両端部に配置してなる一対のエンドプレート３と、両端部を一対のエンドプレート３に連結して、複数の電池セル１を積層方向に拘束するバインドバー４と、電池積層体２の表面に熱結合状態に配置してなる、バインドバー４と異種金属の冷却プレート９とを備え、電池積層体２の長手方向に配置してなる複数のボルト５を介して冷却プレート９を電池積層体２に固定している。電源装置は、複数のボルト５がバインドバー４を冷却プレート９に固定してなる固定領域２１の長さ（Ｌ）を、バインドバー４の全長（Ｔ）の７０％以下として、バインドバー４の端部に、ボルト５を介して冷却プレート９に固定されない非固定領域２２を設けている。
【００１６】
以上の電源装置は、複数のボルトを介してバインドバーを冷却プレートに固定するが、ボルトが冷却プレートに固定される固定領域の長さ（Ｌ）を狭く制限することで、ボルトの固定部においては、温度変化でバインドバーと冷却プレートとの相対的な伸縮量を小さくできる。図１２は、冷却プレート９の中央部（Ａ点）と、両端部（Ｃ点）と、中央部と両端との間（Ｂ点）の５カ所に配置するボルト５が、バインドバー４を冷却プレート９に固定している電源装置の底面図である。この図の電源装置は、温度変化でバインドバー４と冷却プレート９とが、Ａ点を中心として両側に伸縮すると仮定すると、Ｂ点の温度変化による伸縮量の差異（Δ１）は、Ｃ点の伸縮量の差異（Δ２）の１／２となる。したがって、Ｂ点のボルト５は、バインドバー４と冷却プレート９との温度変化による伸縮量の差異（Δ１）が少なく、バインドバー４と冷却プレート９との相対的に位置ずれによる緩みが防止される。したがって、Ａ点の両側に配置するＢ点間をバインドバー４と冷却プレート９との固定領域２１とする電源装置は、両端（Ｃ点）までボルトでバインドバーと冷却プレートとを固定している電源装置に比較し、ボルトの緩みを防止できる特徴がある。
【００１７】
ところで、バインドバーを冷却プレートに固定するボルトの個数を少なくして、たとえば、バインドバーと冷却プレートとの中央部のみを１個のボルトで固定すると、充分な連結強度を実現するために太くて強靭なボルトを使用する必要がある。太いボルトでバインドバーを冷却プレートに固定する電源装置は、ボルトが嵩張って外形が大きくなり、また太いボルトが冷却プレートにねじ込まれ、あるいは貫通されるので、冷却プレート内に設けられる冷媒通路が狭くなって、冷却プレート全体を均一に冷却できなくなる。
【００１８】
これに対して以上の電源装置は、固定領域に配置される複数のボルトを介してバインドバーを冷却プレートに固定するので、個々のボルトを細くしても充分な連結強度を実現できる。このように、細いボルトでバインドバーを冷却プレートに固定する電源装置は、ボルトが嵩張るのを防止して外形を小さくでき、またボルトを細くすることで冷却プレート内に設けられる冷媒通路が狭くなるのを防止して、冷却プレート全体を均一に冷却できる特徴が実現できる。
【００１９】
電源装置は、バインドバー４を鉄又は鉄合金とし、冷却プレート９をアルミニウム又はアルミニウム合金とすることが好ましい。また、冷却プレート９は、全長（Ｒ）を３０ｃｍ以上とすることが好ましい。
【００２０】
また、電源装置は、バインドバー４が、冷却プレート９の表面に固定される折り曲げ部４ｂを有して、折り曲げ部４ｂを貫通するボルト５を介してバインドバー４を冷却プレート９に固定する構成としてもよい。
【００２１】
さらに、電源装置は、折り曲げ部４ｂを冷却プレート９の外側表面に配置して、折り曲げ部４ｂを冷却プレート９の外側表面に固定する構成としてもよい。
【００２２】
さらに、電源装置は、折り曲げ部４ｂを冷却プレート９と電池積層体２との間に配置して、折り曲げ部４ｂを冷却プレート９の電池積層体２との対向面に固定する構成としてもよい。
【００２３】
さらに、電源装置は、固定領域２１に３個以上のボルト５が配置することが好ましい。ボルト５は、冷却プレート９に設けた雌ねじ孔９ａにねじ込んで固定する構成としてもよい。また、ボルト５にナット６をねじ込んで、ボルト５とナット６とで冷却プレート９を挟着してバインドバー４を冷却プレート９に固定する構成としてもよい。
【００２４】
さらに、電源装置は、冷却プレート９が、長手方向に沿って伸びるフランジ部９Ｙを両側に有して、フランジ部９Ｙの内側に電池積層体２を嵌合させる構成としてもよい。
【００２５】
さらにまた、電源装置は、電池積層体２と冷却プレート９との間に熱伝導シート３２を配置する構成としてもよい。
【００２６】
以下、本発明の実施形態を図面に基づいて説明する。ただし、以下に示す実施形態は、本発明の技術思想を具体化するための例示であって、本発明は以下のものに特定されない。また、本明細書は、特許請求の範囲に示される部材を、実施形態の部材に特定するものでは決してない。特に実施形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２７】
（実施形態１）
図１〜図４に示す電源装置１００は、複数の電池セル１を積層している電池積層体２と、この電池積層体２の積層方向の両端部に配置している一対のエンドプレート３と、両端部をエンドプレート３に連結して、複数の電池セル１を積層方向に拘束しているバインドバー４と、電池積層体２の表面に熱結合状態に配置している冷却プレート９とを備える。
【００２８】
（電池セル１）
電池セル１は、図２に示すように、厚さに比べて幅が広い、言い換えると幅よりも薄い角形の電池で、厚さ方向に積層されて電池積層体２としている。電池セル１は、電池ケース１０を金属ケースとする非水系電解液電池である。非水系電解液電池である電池セル１は、リチウムイオン二次電池である。ただし、電池セルは、ニッケル水素電池やニッケルカドミウム電池等の二次電池とすることもできる。図の電池セル１は、幅の広い両表面を四角形とする電池で、両表面を対向するように積層して電池積層体２としている。
【００２９】
電池セル１は、外形を角形とする金属製の電池ケース１０に、電極体（図示せず）を収納して電解液を充填している。金属ケースからなる電池ケース１０は、アルミニウムやアルミニウム合金で製造することができる。電池ケース１０は、底を閉塞する筒状に金属板をプレス加工している外装缶１０Ａと、この外装缶１０Ａの開口部を気密に閉塞している封口板１０Ｂとを備えている。封口板１０Ｂは平面状の金属板で、その外形を外装缶１０Ａの開口部の形状としている。この封口板１０Ｂはレーザー溶接して外装缶１０Ａの外周縁に固定されて外装缶１０Ａの開口部を気密に閉塞している。外装缶１０Ａに固定される封口板１０Ｂは、その両端部に正負の電極端子１３を固定しており、さらに正負の電極端子１３の中間にはガス排出口１２を設けている。ガス排出口１２の内側には、所定の内圧で開弁する排出弁１１を設けている。図１と図２に示す電池積層体２は、複数の電池セル１を、排出弁１１を設けた面が略同一面に位置する姿勢で積層して、各電池セル１の排出弁１１を同一平面上に配置している。図の電池積層体２は、排出弁１１を設けている封口板１０Ｂを上面とする姿勢で、複数の電池セル１を積層している。
【００３０】
互いに積層される複数の電池セル１は、正負の電極端子１３を接続して互いに直列及び／又は並列に接続される。電源装置１００は、隣接する電池セル１の正負の電極端子１３を、バスバー（図示せず）を介して互いに直列及び／又は並列に接続する。隣接する電池セルを互いに直列に接続する電源装置は、出力電圧を高くして出力を大きくでき、隣接する電池セルを並列に接続して、充放電の電流を大きくできる。
【００３１】
（電池積層体２）
図２に示す電池積層体２は、複数の電池セル１を、スペーサ７を介して互いに積層しており、これらの電池セル１を直列に接続している。図１の電池積層体２は、互いに隣接する電池セル１同士を逆向きに並べており、その両側において隣接する電極端子１３同士をバスバーで連結して、隣り合う２個の電池セル１を直列に接続して、すべての電池セル１を直列に接続するようにしている。ただ、本発明は、電池積層体を構成する電池セルの個数とその接続状態を特定しない。
【００３２】
電池積層体２は、図２に示すように、積層している電池セル１の間にスペーサ７を挟着して、隣接する電池セル１を絶縁状態に積層している。スペーサ７は、プラスチックを板状に成形した絶縁プレートである。とくに、熱伝導率の小さい材質のプラスチックで成形されるスペーサ７は、隣接する電池セル１の熱暴走を効果的に防止できる効果もある。このスペーサ７は、電池セル１を嵌着して定位置に配置する形状として、隣接する電池セル１を位置ずれしないように積層できる。
【００３３】
以上のように、スペーサ７で絶縁して積層される電池セル１は、外装缶をアルミニウムなどの金属製にできる。ただ、電池積層体は、必ずしも電池セルの間にスペーサを介在させる必要はない。例えば、電池セルの外装缶を絶縁材で成形し、あるいは電池セルの外装缶の外周を絶縁シートや絶縁塗料等で被覆する等の方法で、互いに隣接する電池セル同士を絶縁することによって、スペーサを不要とできるからである。さらに、電池セルの間にスペーサを介在させない電池積層体は、電池セルの間に冷却風を強制送風して電池セルを冷却する空冷式を採用することなく、冷媒等を用いて直接冷却する方式を採用して電池セルを冷却できる。
【００３４】
（エンドプレート３）
エンドプレート３は、バインドバー４に連結されて、電池積層体２を両端面に配置して、電池セル１を積層方向に保持する。エンドプレート３は、バインドバー４に固定されて、電池積層体２の各電池セル１を固定する。エンドプレート３の外形は、電池セル１の外形にほぼ等しく、あるいはこれよりもわずかに大きく、両側の外周面にバインドバー４を固定して、電池積層体２を振動・衝撃時もセルの移動を抑制する強度をもつ四角形の板材である。このエンドプレート３は、全体をアルミニウムやアルミニウム合金等の金属製としている。ただし、エンドプレートは、図示しないが、プラスチックに金属板を積層する構造とし、あるいはまた、全体を補強繊維を埋設している繊維強化樹脂成形板とすることもできる。
【００３５】
エンドプレート３は、電池セル１の表面に、直接にあるいはスペーサを介して面接触状態に密着して、電池セル１を固定する。電源装置１００は、組み立て工程において、電池積層体２の両端部にエンドプレート３を配置し、両端のエンドプレート３をプレス機（図示せず）で加圧して、バインドバー４を挿入する。エンドプレート３がバインドバー４に固定された後、プレス機の加圧状態は解除される。
【００３６】
（冷却プレート９）
冷却プレート９は、内部を循環する冷却液で電池セル１を冷却する。電池セル１の熱エネルギーを効率よく冷却液に伝導するために、冷却プレート９は熱伝導特性に優れたアルミニウムやアルミニウム合金などの金属板で製作される。冷却プレート９は、内部に冷却液の循環路３１を設けている。循環路３１は冷却機構３０に連結されて冷却プレート９を冷却する。図１と図２の電源装置１００は、電池積層体２の底面に熱結合状態に冷却プレート９を配置している。ただ、冷却プレート９は、電池積層体２の側面に配置することもできる。図の電源装置１００は、冷却プレート９の外形を、電池積層体２の底面形状に等しく、あるいはこれよりも僅かに大きい長方形の金属板として、全ての電池セル１を冷却する構造としている。冷却プレート９は、金属板の内部に金属パイプを挿入して空洞を設け、あるいは内部に空洞を設けて内部に冷却液の循環路３１を設けている。
【００３７】
図３と図５は、電源装置１００、２００の概略横断面図である。これらの図の電源装置１００、２００は、電池積層体２と冷却プレート９との間に熱伝導シート３２を挟着している。熱伝導シート３２は、可撓性とクッション性があって熱伝導特性の優れたシートである。熱伝導シート３２は、電池積層体２と冷却プレート９との間に挟着されて、片面を電池積層体２の表面に、他の面を冷却プレート９の表面に広い面積で密着して、電池積層体２と冷却プレート９とを理想的な熱結合状態に配置する。
【００３８】
（バインドバー４）
冷却プレート９は、バインドバー４を介して電池積層体２の表面に密着状態に固定される。図１と図２の電源装置１００は、バインドバー４の両端部を内側に折曲して固定片４ａを設けて、この固定片４ａを固定ネジ８を介してエンドプレート３の表面に固定している。ただし、本発明は、バインドバー４をエンドプレート３に固定する構造を特定するものでないので、バインドバー４の両端部をエンドプレート３に強固に固定できる他の全ての固定構造とすることができる。さらに、図に示すバインドバー４は、上端に、内側に折曲された上側折曲片４ｃを設けている。この上側折曲片４ｃは、電池積層体２の両側の上面に配置されて、積層された複数の電池セル１の上面である端子面を同一平面上に配置している。
【００３９】
冷却プレート９は、バインドバー４に固定されて、電池積層体２に熱結合状態に固定される。図３と図５の概略横断面図に示すバインドバー４は、冷却プレート９の表面に固定される折り曲げ部４ｂを設けている。折り曲げ部４ｂは、バインドバー４の下縁を内側に折曲加工して設けられる。バインドバー４は、折り曲げ部４ｂを貫通するボルト５を介して冷却プレート９に固定される。
【００４０】
図３の電源装置１００は、バインドバー４の折り曲げ部４ｂを冷却プレート９の外側表面に配置して、折り曲げ部４ｂを冷却プレート９の外側表面に固定している。この電源装置１００は、折り曲げ部４ｂを貫通するボルト５を冷却プレート９の底面に設けた雌ねじ孔９ａにねじ込んでバインドバー４を冷却プレート９に固定している。
【００４１】
図５の電源装置２００は、バインドバー４の折り曲げ部４ｂを電池積層体２と冷却プレート９との間に配置して、折り曲げ部４ｂを冷却プレート９の電池積層体２との対向面に固定している。この電源装置２００は、折り曲げ部４ｂと冷却プレート９とを貫通するボルト５にナット６をねじ込んで、折り曲げ部４ｂと冷却プレート９とをボルト５とナット６とで挟着してバインドバー４を冷却プレート９に固定している。この冷却プレート９は、ボルト５を挿通する貫通孔９ｂを設けている。ボルト５は、バインドバー４にカシメ固定、または溶接固定されていても良い。
【００４２】
バインドバー４は、両端をエンドプレート３に固定して電池積層体２の電池セル１を積層方向に拘束している。バインドバー４は振動・衝撃時には、電池積層体２からの荷重で強い引張力が作用する。電池積層体２の荷重に耐えるように、バインドバー４は高張力鋼やステンレス鋼板が使用される。冷却プレート９は優れた熱伝導特性が要求され、バインドバー４には強い引張力に耐える特性が要求されるので、冷却プレート９とバインドバー４と異種金属で製作される。異種金属の冷却プレート９とバインドバー４は、温度変化に対する伸縮量が異なり、たとえば、アルミニウムの熱膨張率は鋼の約２倍もある。したがって、アルミニウム製の冷却プレート９は、高張力鋼のバインドバー４に比較して、温度変化に対する伸縮量が２倍も大きい。温度に対する伸縮量が異なる異種金属が連結されると、温度変化によって異種金属間で相対的なずれが発生する。温度変化に対する異種金属間のずれは、バインドバー４と冷却プレート９との連結部で発生する。異種金属のバインドバー４と冷却プレート９とをボルト５で固定する構造において、バインドバー４と冷却プレート９とは温度変化によって相対的に移動して、ボルト５を緩ませる原因となる。とくに、電源装置は極めて広い押圧範囲で使用されることから、温度変化に対する相対的な移動が大きく、ボルト５を緩ませる原因となる。
【００４３】
図４と図６は、温度変化によるボルト５の緩みを防止する電源装置１００、２００の底面図である。ただし、図４は図３の電源装置１００の底面図、図６は図５の電源装置２００の底面図である。これ等の図に示す電源装置１００、２００は、バインドバー４の折り曲げ部４ｂの端部をボルトで冷却プレート９に固定しない。折り曲げ部４ｂは、強固に冷却プレート９に固定するために複数のボルト５を介して冷却プレート９に固定される。複数のボルト５でバインドバー４を冷却プレート９に固定する構造は、細いボルト５でバインドバー４を強固に冷却プレート９に固定できる。バインドバー４は太くて強い１本のボルト５で冷却プレート９に固定することもできるが、太いボルト５は大きく嵩張るので電源装置の外形が大きくなる。また、冷却プレート９に太いボルト５がねじ込まれ、あるいは貫通されると、冷却プレート９の内部に設ける循環路３１の容積が制限されて、効率よく全体を冷却できなくなる弊害が発生する。この弊害を防止するために、バインドバー４は複数のボルト５で冷却プレート９に固定される。
【００４４】
複数のボルト５でバインドバー４を冷却プレート９に固定して、ボルト５の緩みを防止するために、ボルト５がバインドバー４を冷却プレート９に固定する固定領域２１の長さ
（Ｌ）は、バインドバー４の全長（Ｔ）の７０％以下として、バインドバー４の端部には、ボルト５でバインドバー４を固定しない非固定領域２２を設けている。図４と図６の電源装置１００、２００は、折り曲げ部４ｂの中央部に固定領域２１を設けて、両端部には同じ長さの非固定領域２２を設けている。この電源装置１００、２００は、バインドバー４を確実に理想的な状態で冷却プレート９に固定できる特徴がある。ただ、固定領域は必ずしも折り曲げ部の中央部に配置する必要はない。
【００４５】
バインドバー４の全長（Ｔ）に対する固定領域２１は長さ（Ｌ）を小さくして温度変化によるボルト５の緩みを少なくできる。また、固定領域２１は長くして、バインドバー４をより確実に冷却プレート９に固定できる。さらに、温度変化によるボルト５の緩みは、冷却プレート９の全長（Ｒ）、すなわちバインドバー４の全長（Ｔ）によっても変化するので、バインドバー４の全長（Ｔ）に対する固定領域２１の長さ（Ｌ）は、バインドバー４の全長（Ｔ）も考慮して最適値に設定される。電源装置１００、２００は、固定領域２１の長さ（Ｌ）をバインドバー４の全長（Ｔ）又は冷却プレート９の全長（Ｒ）の７０％以下とするが、冷却プレート９やバインドバー４の全長を３０ｃｍ以上とする電源装置においては、バインドバー４の全長（Ｔ）に対する固定領域２１の長さ（Ｌ）を、温度変化によるボルト５の緩みと、バインドバー４を冷却プレート９に固定する強度とを考慮して、たとえば６０％以下、好ましくは５０％以下、さらに好ましくは４０％以下に制限する。
【００４６】
図４と図６の電源装置１００、２００は、バインドバー４の折り曲げ部４ｂの中央部に設けた固定領域２１に３個のボルト５を並べて配置して、ボルト５を固定している固定領域２１の長さ（Ｌ）を、バインドバー４の折り曲げ部４ｂの全長（Ｍ）の２０％として、両端部には折り曲げ部４ｂの全長（Ｍ）の８０％の非固定領域２２を設けている。この電源装置１００、２００は、固定領域２１の長さ（Ｌ）を短くしているので、大幅な温度変化のある環境で長期間使用されても、ボルト５の緩みを確実に阻止できる特徴がある。以上の電源装置は固定領域２１に３個のボルト５を配置してバインドバー４を冷却プレート９に固定しているが、固定領域２１には２個又は４個以上のボルト５を配置してバインドバー４を冷却プレート９に固定することもできる。
【００４７】
図７と図８の概略横断面図に示す電源装置３００、４００は、冷却プレート９の両側に長手方向に沿って伸びるフランジ部９Ｙを設けて、両側のフランジ部９Ｙの内側に電池積層体２が嵌合される状態に配置している。図７の冷却プレート９は、本体部９Ｘを電池積層体２の底面に熱結合状態に密着し、フランジ部９Ｙの内面を電池積層体２の両側面に熱結合状態に密着している。図８の冷却プレート９は、本体部９Ｘを電池積層体２の底面に熱結合状態に密着し、フランジ部９Ｙの内側をバインドバー４に密着させて、バインドバー４を介して電池積層体２の幅方向の位置ずれを阻止する。これ等の冷却プレート９は、両側のフランジ部９Ｙの内側に電池積層体２を配置して、冷却プレート９と電池積層体２との幅方向（図４及び図６におけるＸ軸方向）の位置ずれを阻止する。したがって、Ｘ軸方向において両者の連結剛性を高めることができる。この電源装置３００、４００は、ボルト５で電池積層体２と冷却プレート９の長手方向（図４及び図６においてＹ軸方向）の位置ずれを阻止し、フランジ部９ＹでＸ軸方向の位置ずれを阻止する。この電源装置３００、４００は、フランジ部９ＹでＸ軸方向の位置ずれを阻止するので、ボルト５でＹ軸方向の位置ずれのみを阻止して、電池積層体２と冷却プレート９とを確実に位置ずれしないように固定できる。したがって、この構造の電源装置３００、４００は、固定領域２１の長さ（Ｌ）を短くして、ボルト５の座面における緩みを有効に防止しながら、冷却プレート９と電池積層体２とを位置ずれすることなく理想的な状態で強固に連結できる特徴がある。
【００４８】
以上の冷却プレート９は、アルミニウムをダイキャスト成形又は、押し出し成形してフランジ部９Ｙを一体構造に設けることができる。ただ、フランジ部９Ｙを別部材としてこれを本体部９Ｘに固定して設けることもできる。なお、上述の実施形態の電源装置は、内部を循環する冷却液で電池セル１を冷却する冷却プレート９を備える構成となっているが、本発明において、冷却プレートは、必ずしもプレートの内部を冷却液が循環する構成でなくてもよい。具体的には、冷却プレートは、アルミニウムなどの熱伝導性の高い材料を成形して形成される熱伝導プレートであってもよい。この構成の場合、プレートの熱伝導性を利用して電池セルを冷却することができ、かつ、冷却液などを循環させる必要がないので、簡単な構成とすることができる。これらは要求される冷却性能に応じて選択してもよい。
【００４９】
図１〜図４、及び図７の電源装置１００、３００は、以下の工程で組み立てられる。
（１）所定の個数の電池セル１を、間にスペーサ７を介在させる状態で、電池セル１の厚さ方向に積層して電池積層体２とする。
（２）電池積層体２の両端にエンドプレート３を配置し、一対のエンドプレート３を両側からプレス機（図示せず）で押圧して、保持する。さらに、電池積層体２の底面に、熱伝導シート３２を介して冷却プレート９を配置する。図７の電源装置３００においては、冷却プレート９の両側に設けたフランジ部９Ｙの間に電池積層体２を嵌合させる。
（３）電池積層体２をエンドプレート３で押圧状態で一対のエンドプレート３にバインドバー４を連結して固定すると共に、バインドバー４を冷却プレート９に固定する。バインドバー４は、両端に設けた固定片４ａが固定ネジ８を介してエンドプレート３の外側表面に固定される。さらに、バインドバー４は、下端に設けた折り曲げ部４ｂを貫通するボルト５が冷却プレート９の雌ねじ孔９ａにねじ込まれて、冷却プレート９の外側表面に固定される。
この状態で、電池積層体２は、バインドバー４で所定の間隔に保持される一対のエンドプレート３を介して保持されると共に、ボルト５を介して冷却プレート９に固定される。
（４）電池積層体２の両側部において、互いに隣接する電池セル１の対向する電極端子１３同士をバスバー（図示せず）で連結する。バスバーは、電極端子１３に固定されて、電池セル１を直列に接続し、あるいは直列と並列に接続する。バスバーは、電極端子１３に溶接され、あるいはネジ止めされて電極端子１３に固定される。
【００５０】
また、図５、図６、及び図８の電源装置２００、４００は、以下の工程で組み立てられる。
（１）所定の個数の電池セル１を、間にスペーサ７を介在させる状態で、電池セル１の厚さ方向に積層して電池積層体２とする。
（２）電池積層体２の両端にエンドプレート３を配置し、一対のエンドプレート３を両側からプレス機（図示せず）で押圧して、エンドプレート３でもって、電池積層体２を所定の圧力で加圧し、電池セル１を圧縮状態に保持する。
（３）電池積層体２をエンドプレート３で圧縮状態で一対のエンドプレート３にバインドバー４を連結して固定する。バインドバー４は、両端に設けた固定片４ａが固定ネジ８を介してエンドプレート３の外側表面に固定される。
この状態で、電池積層体２は、バインドバー４で所定の間隔に保持される一対のエンドプレート３を介して保持される。
（４）バインドバー４の折り曲げ部４ｂを冷却プレート９に固定する。折り曲げ部４ｂは、冷却プレート９と電池積層体２との間に配置されて、冷却プレート９の電池積層体２との対向面に固定される。バインドバー４は、折り曲げ部４ｂを貫通するボルト５が冷却プレート９の貫通孔９ｂに挿通されると共に、ボルト５にナット６がねじ込まれて、ボルト５とナット６で冷却プレート９を挟着して固定される。このとき、電池積層体２と冷却プレート９の間に熱伝導シート３２を介在させる。図８の電源装置４００においては、冷却プレート９の両側に設けたフランジ部９Ｙの間に電池積層体２を嵌合させて、バインドバー４の外側表面にフランジ部９Ｙを配置する。
（５）電池積層体２の両側部において、互いに隣接する電池セル１の対向する電極端子１３同士をバスバー（図示せず）で連結する。バスバーは、電極端子１３に固定されて、電池セル１を直列に接続し、あるいは直列と並列に接続する。バスバーは、電極端子１３に溶接され、あるいはネジ止めされて電極端子１３に固定される。
【００５１】
以上の電源装置は、電動車両を走行させるモータに電力を供給する車両用の電源装置に最適である。電源装置を搭載する電動車両としては、エンジンとモータの両方で走行するハイブリッド自動車やプラグインハイブリッド自動車、あるいはモータのみで走行する電気自動車等の電動車両が利用でき、これらの電動車両の電源として使用される。
【００５２】
（ハイブリッド車用電源装置）
図９に、エンジンとモータの両方で走行するハイブリッド車に電源装置を搭載する例を示す。この図に示す電源装置を搭載した車両ＨＶは、車両本体９０と、車両本体９０を走行させるエンジン９６及び走行用のモータ９３と、モータ９３に電力を供給する電源装置１００と、電源装置１００の電池を充電する発電機９４と、モータ９３とエンジン９６で駆動されて車両本体９０を走行させる車輪９７とを備えている。電源装置１００は、ＤＣ／ＡＣインバータ９５を介してモータ９３と発電機９４に接続している。車両ＨＶは、電源装置１００の電池を充放電しながらモータ９３とエンジン９６の両方で走行する。モータ９３は、エンジン効率の悪い領域、例えば加速時や低速走行時に駆動されて車両を走行させる。モータ９３は、電源装置１００から電力が供給されて駆動する。発電機９４は、エンジン９６で駆動され、あるいは車両にブレーキをかけるときの回生制動で駆動されて、電源装置１００の電池を充電する。
【００５３】
（電気自動車用電源装置）
また、図１０に、モータのみで走行する電気自動車に電源装置を搭載する例を示す。この図に示す電源装置を搭載した車両ＥＶは、車両本体９０と、車両本体９０を走行させる走行用のモータ９３と、このモータ９３に電力を供給する電源装置１００と、この電源装置１００の電池を充電する発電機９４、モータ９３で駆動されて車両本体９０を走行させる車輪９７とを備えている。モータ９３は、電源装置１００から電力が供給されて駆動する。発電機９４は、車両ＥＶを回生制動する時のエネルギーで駆動されて、電源装置１００の電池を充電する。
【００５４】
（蓄電用電源装置）
さらに、本発明は電源装置の用途を電動車両に搭載する電源装置には特定せず、たとえば、太陽光発電、風力発電などの自然エネルギーを蓄電する蓄電装置用の電源装置として使用でき、また深夜電力を蓄電する蓄電装置用の電源装置のように、大電力を蓄電する全ての用途に使用できる。例えば家庭用、工場用の電源として、太陽光や深夜電力等で充電し、必要時に放電する電源システム、あるいは日中の太陽光を充電して夜間に放電する街路灯用の電源や、停電時に駆動する信号機用のバックアップ電源等にも利用できる。このような例を図１１に示す。なお、図１１に示す蓄電装置としての使用例では、所望の電力を得るために、上述した電源装置を直列や並列に多数接続して、さらに必要な制御回路を付加した大容量、高出力の蓄電装置８０を構築した例として説明する。
【００５５】
図１１に示す蓄電装置８０は、複数の電源装置１００をユニット状に接続して電源ユニット８２を構成している。各電源装置１００は、複数の電池セルが直列及び／又は並列に接続されている。各電源装置１００は、電源コントローラ８４により制御される。この蓄電装置８０は、電源ユニット８２を充電用電源ＣＰで充電した後、負荷ＬＤを駆動する。
このため蓄電装置８０は、充電モードと放電モードを備える。負荷ＬＤと充電用電源ＣＰはそれぞれ、放電スイッチＤＳ及び充電スイッチＣＳを介して蓄電装置８０と接続されている。放電スイッチＤＳ及び充電スイッチＣＳのＯＮ／ＯＦＦは、蓄電装置８０の電源コントローラ８４によって切り替えられる。充電モードにおいては、電源コントローラ８４は充電スイッチＣＳをＯＮに、放電スイッチＤＳをＯＦＦに切り替えて、充電用電源ＣＰから蓄電装置８０への充電を許可する。また充電が完了し満充電になると、あるいは所定値以上の容量が充電された状態で負荷ＬＤからの要求に応じて、電源コントローラ８４は充電スイッチＣＳをＯＦＦに、放電スイッチＤＳをＯＮにして放電モードに切り替え、蓄電装置８０から負荷ＬＤへの放電を許可する。また、必要に応じて、充電スイッチＣＳをＯＮに、放電スイッチＤＳをＯＮにして、負荷ＬＤの電力供給と、蓄電装置８０への充電を同時に行うこともできる。
【００５６】
蓄電装置８０で駆動される負荷ＬＤは、放電スイッチＤＳを介して蓄電装置８０と接続されている。蓄電装置８０の放電モードにおいては、電源コントローラ８４が放電スイッチＤＳをＯＮに切り替えて、負荷ＬＤに接続し、蓄電装置８０からの電力で負荷ＬＤを駆動する。放電スイッチＤＳはＦＥＴ等のスイッチング素子が利用できる。放電スイッチＤＳのＯＮ／ＯＦＦは、蓄電装置８０の電源コントローラ８４によって制御される。また電源コントローラ８４は、外部機器と通信するための通信インターフェースを備えている。
図１１の例では、ＵＡＲＴやＲＳ−２３２Ｃ等の既存の通信プロトコルに従い、ホスト機器ＨＴと接続されている。また必要に応じて、電源システムに対してユーザが操作を行うためのユーザインターフェースを設けることもできる。
【００５７】
各電源装置１００は、信号端子と電源端子を備える。信号端子は、入出力端子ＤＩと、異常出力端子ＤＡと、接続端子ＤＯとを含む。入出力端子ＤＩは、他の電源装置１００や電源コントローラ８４からの信号を入出力するための端子であり、接続端子ＤＯは他の電源装置１００に対して信号を入出力するための端子である。また異常出力端子ＤＡは、電源装置１００の異常を外部に出力するための端子である。さらに電源端子は、電源装置１００同士を直列、並列に接続するための端子である。また電源ユニット８２は、並列接続スイッチ８５を介して出力ラインＯＬに接続されて互いに並列に接続されている。
【産業上の利用可能性】
【００５８】
本発明に係る電源装置及びこれを備える車両並びに蓄電装置は、ＥＶ走行モードとＨＥＶ走行モードとを切り替え可能なプラグイン式ハイブリッド電気自動車やハイブリッド式電気自動車、電気自動車等の電源装置として好適に利用できる。またコンピュータサーバのラックに搭載可能なバックアップ電源装置、携帯電話等の無線基地局用のバックアップ電源装置、家庭内用、工場用の蓄電用電源、街路灯の電源等、太陽電池と組み合わせた蓄電装置、信号機等のバックアップ電源用等の用途にも適宜利用できる。
【符号の説明】
【００５９】
１００、２００、３００、４００…電源装置、１…電池セル、２…電池積層体、３…エンドプレート、４…バインドバー、４ａ…固定片、４ｂ…折り曲げ部、４ｃ…折曲片、５…ボルト、６…ナット、７…スペーサ、８…固定ネジ、９…冷却プレート、９Ｘ…本体部、９Ｙ…フランジ部、９ａ…雌ねじ孔、９ｂ…貫通孔、１０…電池ケース、１０Ａ…外装缶、１０Ｂ…封口板、１１…排出弁、１２…ガス排出口、１３…電極端子、２１…固定領域、２２…非固定領域、３０…冷却機構、３１…循環路、３２…熱伝導シート、８０…蓄電装置、８２…電源ユニット、８４…電源コントローラ、８５…並列接続スイッチ、９０…車両本体、９３…モータ、９４…発電機、９５…ＤＣ／ＡＣインバータ、９６…エンジン、９７…車輪、１０１…電池セル、１０２…電池積層体、１０３…エンドプレート、１０４…バインドバー、１０４ｂ…折り曲げ部、１０９…冷却プレート、ＥＶ…車両、ＨＶ…車両、ＬＤ…負荷、ＣＰ…充電用電源、ＤＳ…放電スイッチ、ＣＳ…充電スイッチ、ＯＬ…出力ライン、ＨＴ…ホスト機器、ＤＩ…入出力端子、ＤＡ…異常出力端子、ＤＯ…接続端子
【図１】
2019146238.tif 000003
【図２】
2019146238.tif 000004
【図３】
2019146238.tif 000005
【図４】
2019146238.tif 000006
【図５】
2019146238.tif 000007
【図６】
2019146238.tif 000008
【図７】
2019146238.tif 000009
【図８】
2019146238.tif 000010
【図９】
2019146238.tif 000011
【図１０】
2019146238.tif 000012
【図１１】
2019146238.tif 000013
【図１２】
2019146238.tif 000014
【図１３】
2019146238.tif 000015
【国際調査報告】
2019146238.tif 000016
2019146238.tif 000017
2019146238.tif 000018
2019146238.tif 000019